(57)【要約】      （修正有）【課題】モジュール機器とコネクターを接続する電気機器にて接続部位が平面の電気接続機器の端子形状により、プレス順送型にて端子を製造し製造工程の改善を行い、又インサート成形コネクターの特徴を生かしモジュール側とコネクター側の端子間のピッチ変更を樹脂内にて出来る端子形状の接続用電気機器を提供する。【解決手段】電気接続機器の平面接続部位を減厚した素材をＬ字状に曲げて成形し、接続面積を拡大する為に曲げコーナー内側に溝状の打ち込みを行い、曲げＲを縮小し接続面積を拡大した形状。本形状よりプレス順送金型での加工が可能となり、インサート成形の特徴を生かし端子間ピッチの変更ができる。連鎖状の端子の為にインサート成型等の取扱が簡単にできるようになった。【選択図】図１
0003161044.tif 000002
【実用新案登録請求の範囲】
【請求項１】
インサート成形にて製造される接続部位が平面の電気機器にて平面接続部を成形するに、端子部材を減厚しＬ字状の曲げ加工により製作された電気接続機器の端子形状、Ｌ曲げの角度は９０°に限定しない
【請求項２】
請求項１の平面接続部の加工にてＬ字状の曲げにより発生したＲ部位が最小になる様に、Ｌ字状曲げの内側に溝状の打ち込みを行った端子形状
【請求項３】
モジュール側とコネクター側の接続部ピッチ変更をハウジングの樹脂内で行う為にハウジング樹脂内にて回路が曲がっている形状の端子を使用した電気接続機器
【考案の詳細な説明】
【技術分野】
【０００１】本考案は、接続部位が平面である接続用の電気機器に使用する端子に関する。
【背景技術】
【０００２】従来の接続用の電気機器にて［図４］の様にモジュール機器４２と接続用コネクター４３を接続する接続用電気機器４１において、モジュール側の接続部が平面の端子形状は釘状［図５］の形状である。組み付け方法が圧入、又はインサート方式であるが端子形状が直線状態のためにモジュール側とコネクター側の端子間ピッチは同じである。コネクター側と、モジュール側の端子間ピッチを変えるにハウジングを成形するわずかな樹脂内では回路曲げが困難であり、圧入等にて端子を組み込む為にピッチ間隔を変える事が困難であった、今回の開発品は変更の要求がある。
インサート成形工程にて釘状端子は個片状態にてインサート成形工程へ供給されインサート金型への供給時に整列する事が大変であった。
【先行技術文献】
【特許文献】
【０００３】
【特許文献１】特開  ２００８−１７０８０１
【考案の概要】
【考案が解決しようとする課題】
【０００４】平面接続部を釘状に成形する現行端子形状の形状変更を行い、平面接続部の必要な接続面積の確保と同時に、端子用部材を線材より帯材に変えプレス順送型での製造可能な端子形状に変え連鎖状に端子を成形する。インサート成形時は連鎖状にて成形金型に端子を供給し製造工程を簡素化できる端子形状を考案する。プレス順送型での加工によりモジュール側とコネクター側のピッチ変更の回路曲げをプレス順送型にて同時加工を行い、電気機器の製造工程を簡単にできる端子形状の考案。
【課題を解決するための手段】
【０００５】本考案端子形状は［図１］の様にプレス加工を考慮し、端子の平面接続部の必要な接続面積を確保する為に、部材をプレス加工にて減厚しＬ字状に曲げることにより接続面積を確保する端子形状、Ｌ字状の曲げにより発生したＲ部にて接続面積が不足した場合は、Ｒ部位が最小になるように曲げ部の内側に溝状の打ち込みを行う事によりＲ部が縮小し接続面積を拡大させる端子形状、本考案形状により端子製造がプレス順送型にて製造可能となり、インサート金型への端子の供給が連鎖状になり安定した生産が可能となる。モジュール側とコネクター側とのピッチ変更の回路曲げも１台の順送型内での同時製造が可能となり曲げの工程が不要となり、インサート成形を生かしピッチ変更した電気接続機器が製造できる。
【考案の効果】
【０００６】上述のようにモジュール側の平面接続部を部材の減厚とＬ字曲げの形状に変えることにより平面接続部の必要面積も確保でき、帯状の部材にてプレス順送型での加工が可能となる端子形状となった。プレス成形後も連鎖状に取り出すため、インサート成形時の端子供給時の姿勢位置が安定し効率の良いインサート成形ができるようになった。
プレス加工後のメッキ加工も連鎖状の為、簡単になり高価な金メッキも全面メッキより接点部位のみの部分メッキに変えることにより安価にメッキできるようになった。
形状変更した端子形状ではモジュール側とコネクター側との接続部のピッチ変更ができる曲げ形状となりインサート成形の特徴を生かしたハウジングの樹脂内でのピッチ変更した電気機器となった。
【図面の簡単な説明】
【０００７】
【図１】本考案端子の連鎖状態図と考案形状図  （１ａ）本考案端子の連鎖状態の図面  （１ｂ）イ部詳細図Ｉ  請求項１及び３の図面  （１ｃ）イ部詳細図ＩＩ  請求項２の図面
【図２】本考案端子を組み込んだ接続用電気機器の説明図  （２ｄ）モジュール側側面図  端子間ピッチ２ｍｍ  （２ｅ）正面図  （２ｆ）コネクター側側面図  端子間ピッチ３ｍｍ  （２ｇ）Ｙ−Ｙ断面図にてインサート状態の説明  （２ｈ）立体図にて外観を現す  （２ｉ）本考案端子のインサート時の端子配置図
【図３】本考案端子を組み込んだ電気機器を使用している図
【図４】従来の接続用電気機器の概要図
【図５】従来端子の形状図
【考案を実施するための形態】
【０００８】本考案の電気機器用端子の製造は、プレス順送型にて端子部材を減厚し、Ｌ字状に曲げ平面接続部の成形を行い、又同一型内にてピッチ変更の曲げ加工も行う。プレス成形された連鎖状の端子を巻き取り必要に応じメッキ加工を行う、連鎖状の端子をインサート成型機の金型に切断と同時にロボットもしくは作業者が供給し、インサート成型を行う。ロボットハンドもしくは供給治具にて保持した状態にて切断すれば端子はより安定してインサート成形金型に供給でき簡単に製造できる。
【実施例】
【０００９】本考案端子の実施例を説明する。［図１］にて本考案端子を説明する、プレス順送型にて加工された端子は（１ａ）の様に連鎖状態にて巻き取られ次工程に渡される。
（１ｂ）詳細図Ｉの▲１▼は減厚しＬ字状に曲げて作られた平面接続部、▲２▼は端子間のピッチ変更を行う曲げ部、▲３▼はＬ字曲げで発生したＲ部の説明、（１ｃ）詳細図ＩＩの▲４▼はＬ字曲げのＲを最小化する溝打ちの形状である。【００１０】［図２］にて接続用電気機器を説明する、連鎖状に供給された本考案端子１１を（２ｉ）の端子の配列図のようにインサート成形金型にセットして、（２ｇ）の断面図の状態にハウジング２１をインサート成形し完成する。本考案端子をインサート成形する事によりモジュール側とコネクター側との端子間ピッチを変えた接続用電気機器が出来る、説明図ではモジュール側が２ｍｍコネクター側が３ｍｍである。【００１１】［図３］は接続用電気機器の使用図である、３１はモジュール機器、３３は外部機器からの接続用コネクターである。３２が本考案の端子がインサート成型された接続用電気機器である。モジュール機器にはバネ性のある接点と接続し、モジュール機器と電気用機器は溶着・接着又はネジにて固定される。接続用コネクターは着脱可能なコネクターである。本考案によりモジュール側とコネクター側は端子間のピッチが異なっている電気機器となっている。
【符号の説明】
【００１２】  １１  接続用電気機器の端子（本考案の端子）
▲１▼  減圧しＬ字状に曲げた接点形状（要求項  １）
▲２▼  端子間ピッチ変更の曲げ形状（要求項  ３）
▲３▼  Ｌ字状曲げにより発生するＲ部位
▲４▼  曲げＲ最少化の溝打ちの形状（要求項  ２）
２１  接続用電気機器のインサートハウジング
３１  モジュール機器（組み付け相手部品）
３２  接続用電気機器（本考案端子インサート成型部品）
３３  接続用コネクター（外部機器より接続相手部品）
４１  従来の接続用電気機器
４２  従来のモジュール機器
４３  従来の接続用のコネクター
４４  釘状の従来端子形状
【図１】
0003161044.tif 000003
【図２】
0003161044.tif 000004
【図３】
0003161044.tif 000005
【図４】
0003161044.tif 000006
【図５】
0003161044.tif 000007
【手続補正書】
【提出日】平成22年4月27日(2010.4.27)
【手続補正１】
【補正対象書類名】実用新案登録請求の範囲
【補正対象項目名】全文
【補正方法】変更
【補正の内容】
【実用新案登録請求の範囲】
【請求項１】
端子をインサート成形して製造される接続部位が平面の接続用電気機器おいて、平面の接続部位が端子部材を減厚しＬ字状の曲げ加工により成形されている形状を特徴とした端子を使用している接続用電気機器。
【請求項２】
［請求項１］の接続用電気機器に使用される端子において、平面の接続部位が端子部材を減厚しＬ字状の曲げ加工を特徴とした端子を使用しているが、Ｌ字状の曲げにより発生した曲げＲ部位を減少させ、接続部位の平面を拡大させる為にＬ字状の曲げの内側に溝状の打ち込みを行った端子を使用している接続用電気機器。
【請求項３】
端子をインサート成形して製造される接続部位が平面の接続用電気機器において，複数の接続部位がある場合に入力側と出力側の接続部位のピッチが異なる接続用電気機器にする為には、入力側と出力側を隔離する樹脂壁内にて導通する回路を曲げる必要がある、異なるピッチにする為に隔離する樹脂壁内にて回路の役割をする端子が曲げてある形状を特徴とした接続用電気機器。